(57)【要約】  【課題】  本発明は、通常の浴室ユニットスペースにおいて設置が可能であり、ユニット内洗浄が容易である。岩盤浴ユニットを提供することを目的とする。  【解決手段】  防水パンと、この防水パン上に設置される高さの異なる２平面と、この２平面上に各々配置される石盤と、この石盤を加温する加熱体とを備えた岩盤浴ユニット。  【選択図】  図４
2009011427.tif 000002
【特許請求の範囲】
【請求項１】
防水パンと、この防水パン上に設置される高さの異なる２平面と、この２平面上に各々配置される石盤と、この石盤を加温する加熱体とを備えた岩盤浴ユニット。
【請求項２】
請求項１において、２平面上の石盤温度が、高位層と低位層とで異なる岩盤浴ユニット。
【請求項３】
請求項２において、高位層の石盤温度が、低位層の石盤温度よりも高温である岩盤浴ユニット。
【請求項４】
請求項１乃至３の何れかにおいて、高さの異なる２平面の段差が、１０ｍｍ〜８００ｍｍである岩盤浴ユニット。
【請求項５】
請求項２乃至４の何れかにおいて、高位層の石盤温度が３５℃〜６０℃である岩盤浴ユニット。
【請求項６】
請求項１乃至５の何れかにおいて、加熱体の熱源が温水である岩盤浴ユニット。
【請求項７】
請求項６において、熱源である温水が、自然冷媒ヒートポンプ式電気給湯機から供給される岩盤浴ユニット。
【請求項８】
請求項１乃至７の何れかにおいて、更にシャワー水栓が取り付けられた岩盤浴ユニット。
【発明の詳細な説明】
【技術分野】
【０００１】
本発明は、加温した石盤に横たわって身体を温める岩盤浴ユニットに関する。
【背景技術】
【０００２】
身体を温めて健康を維持・増進する装置として、サウナシステムが普及している。このサウナシステムには、乾式と湿式があり、乾式は室温約６０〜１００℃、湿式は約４５〜５５℃の温度範囲で使用される。
【０００３】
室温が高温となるサウナと比較し、低温でサウナ入浴する方法として岩盤浴がある。特許文献１には、岩盤浴付き浴室ユニットとして、浴室ユニット内部の洗い場床面の一部または全面に研磨された石を設け、この石を下部より電気ヒーター、石油等の熱源により加温し、その上に寝転ぶ、又は座ることにより、岩盤浴と浴室内の暖房が可能なことを特徴とした、岩盤浴付き浴室ユニットが開示されている。
【特許文献１】特開２００５−２５３９３３号公報
【０００４】
また、大衆浴場等で見られる岩盤浴設備は、床面上に岩盤が敷き詰められており、利用者は、その上に寝転がることで入浴している。
【発明の開示】
【発明が解決しようとする課題】
【０００５】
しかしながら、サウナシステムは、高温環境下に身体を晒すため、血流や心拍数が急速に高まったり、血圧に変化を来たしたりするので、心臓病や高血圧症の人には利用できないという難点があった。
【０００６】
特許文献１に記載されているユニットは、湿式サウナであるので、高温のサウナシステムにて懸念される問題点がないものの、ユニット内に配置されるのが、浴槽と床と石盤ベッド、または、浴槽と石盤ベッドにより構成されており、浴槽と床と石盤ベッドを同時に配置するには狭く、浴槽を使用した入浴方法は、入浴後の室内洗浄に労を要する。
【０００７】
本発明は、通常の浴室ユニットスペースにおいて設置が可能であり、ユニット内洗浄が容易である。岩盤浴ユニットを提供することを目的とする。
【課題を解決するための手段】
【０００８】
本発明は、以下のものに関する。
（１）防水パンと、この防水パン上に設置される高さの異なる２平面と、この２平面上に各々配置される石盤と、この石盤を加温する加熱体とを備えた岩盤浴ユニット。
（２）項（１）において、２平面上の石盤温度が、高位層と低位層とで異なる岩盤浴ユニット。
（３）項（２）において、高位層の石盤温度が、低位層の石盤温度よりも高温である岩盤浴ユニット。
（４）項（１）乃至（３）の何れかにおいて、高さの異なる２平面の段差が、１０ｍｍ〜８００ｍｍである岩盤浴ユニット。
（５）項（２）乃至（４）の何れかにおいて、高位層の石盤温度が３５℃〜６０℃である岩盤浴ユニット。
（６）項（１）乃至（５）の何れかにおいて、加熱体の熱源が温水である岩盤浴ユニット。
（７）項（６）において、熱源である温水が、自然冷媒ヒートポンプ式電気給湯機から供給される岩盤浴ユニット。
（８）項（１）乃至（７）の何れかにおいて、更にシャワー水栓が取り付けられた岩盤浴ユニット。
【発明の効果】
【０００９】
本発明によれば、高位層低位層の大きく分けると２つのブロックにより構成されていることから、狭い設置スペースにおいて、浴槽と洗い場より成る汎用浴室ユニットのスペースで取り付けが可能である。また、２つの平面で構成される為複雑な構造ではなく洗浄が容易に行える。さらに、２層により構成されることで、腰掛ける等多様な使用方法が可能で、立上り動作等を容易にできる。さらに、防水パン上に設置される岩盤浴用ユニットである為、防水パンが排水を受けることで、漏水の懸念がない。
【００１０】
また、温度の異なる石盤が配置された２平面の場合、同時に２人が各々希望する温度での入浴を可能とならしめ、２人入浴により稼働時のランニングコストを抑制できる。
【００１１】
さらに、石盤温度を高位層＞低位層とした場合、暖められた空気層は上昇しようとする為、高位層は石盤温度がより冷め難く、また、高位層は低位層と比較して床面からの距離が遠いことで、同時にユニット床裏下の外気からの距離も遠くなり、放熱が少なく冷め難く熱のロスが小さくなる。
【００１２】
さらに、高位層と低位層の段差が１０ｍｍ〜８００ｍｍであり、最低１０ｍｍ以上の段差を有する場合、寝転んでから立ち上がる動作を想定すると、低位層へ足を着いてから立ち上がる事により、動作がスムーズに行え、入浴後の急激な体勢変化も避けられる為、立ちくらみ等の危険も回避される。さらに、入浴者の介助が必要な場合も、介助人の無理な姿勢による苦痛を軽減できる。
【００１３】
さらに、サウナシステムの熱風による身体加温と異なり、石盤という固体から直接熱の移動を受けるため、身体の温まりが早く、サウナシステムと比較して３５℃〜６０℃とした低い温度で、体への負担が少なく、短時間にて発汗できる。
【００１４】
さらに、熱源が温水である場合は、電熱線を使用する際に発生する電磁波による人体への悪影響がない。
【００１５】
また、自然冷媒ヒートポンプ式電気給湯機を使用することで、地球環境にもやさしく、深夜電力を利用することで電気代が節約できる。
【００１６】
さらに、本発明の岩盤浴ユニットは、浴槽を使用しない、シャワーによる入浴方法の為、形状が複雑でなく、洗浄性が容易である。
【発明を実施するための最良の形態】
【００１７】
本発明にて述べる防水パンは、周囲に漏水することがないものであれば良く、浴室ユニットに用いられる防水パンを好適に使用することができる。
また、防水パンは、一体成形された一枚物であっても、複数の部材を組み合わせて接続した複合物であっても良い。
防水パンの材質は、特に制限されるものではないが、防錆性能、耐荷重性能を考えると、ＦＲＰ製のものが好ましい。
【００１８】
本発明にて述べる２平面は、その平面上に石盤を載置するものであり、高さを異ならせて設けられる。高位層と低位層との段差は、１０ｍｍ〜８００ｍｍであることが好ましく、より好ましくは３００ｍｍ〜６５０ｍｍである。高低差が１０ｍｍより小さい場合、足裏と座位部が同高さの為、低位部へ足を置いて立上る際の動作がスムーズに行い難く、また、入浴人の介助が必要な場合、介助人が腰をかがめて作業する動作を考えると、介助人の足指の厚さ程度の１０ｍｍ以上の高さが必要である。８００ｍｍより高い場合は、入浴者によっては、高位部に座して立ち上がる場合、低位部に足裏が着地しないと、不安に感じたり、立上り動作が不安定となる。また、８００ｍｍは人により高い場合がある為、必要に応じで踏み台状のものを高位層と低位層の間に配置することも必要である。尚、鋭利な石材のコーナー部による怪我の懸念、デザイン性、扱いやすさ等を配慮し、高位層の段差の角部は丸みを持たせることがより好ましい。
さらに、２平面が高さを異ならせていることから、高位層にて岩盤浴を行いつつ、低位層でシャワーを浴びても、シャワーの排水が岩盤浴を行っている者に触れ難く、衛生的である。
【００１９】
本発明にて使用される石盤としては、特に制限するものではなく、どのような物質も多少なりとも遠赤外線を放出しているため、石材であればよい。具体的には、天照石、北投石、ブラックシリカ、大和光石、蛇紋岩、貴陽石、石英斑岩、貴宝石、トルマリン、薬宝玉石、ラジウム石、ゲルマニウム石、光窯石、生効石、長命石等、マイナスイオンや遠赤外線を多く放出すると言われる種類が放射率も高く、身体を温める効き目も強く好ましい。
また、石盤としては、石材の粉末を混入した樹脂成形板を使用することもできる。使用される樹脂としては特に制限はないが、不飽和ポリエステル樹脂、アクリル樹脂、エポキシ樹脂等の熱硬化性樹脂が成形性も良い為好ましく、また、表面に模様を付与することも可能である。模様の付与方法としては、フィルム等へ予め樹脂等で模様をつけておいた模様付きフィルムを転写させる方法、塗装、もしくは、樹脂中に、光輝材等を添加する方法もある。
【００２０】
石盤を加温する熱源としては、石盤裏面へパイプやチューブを敷き詰めて温水を循環させる方式が好ましく、熱源に電気を利用する方法は、電線の電磁波の影響が懸念される為、電線と石盤の間に電磁波シールド材を挟む、もしくは、石盤裏面へ電磁波シールド用のスプレーを吹き付けてもよい。温水中には冬場の凍結を防止する為、不凍液の混入や、パイプ、チューブ周囲に保温材を巻きつけても良い。
【００２１】
使用するパイプやチューブの形態としては、金属配管を曲げ加工して蛇行させた熱交換機や、破損等を防ぐ為にポリエチレン、ポリプロピレン、塩ビ等のプラスチック製チューブを使用できる。
【００２２】
高位層と低位層の温度差は、どのような方法を用いてもよいが、具体的には、以下の方法を用いることができる。
図１は、岩盤浴ユニットの概念図である。この場合は、温水湯沸し器にて温水を作り、この温水を循環回路により高位層の石盤及び低位層の石盤に伝達させる。温度差は、電磁弁の開度を変化させ、高温とする側により多くの温水を供給することで設けている。
図２は、別の岩盤浴ユニットの概念図である。この場合は、循環回路を個別の２系統に分離させ、個々に異なる温度の温水を供給することで温度差を設けるようにしている。
更に別の方法としては、高位層及び低位層の両方に、同温・同量の温水を供給し、一方を送風機等の冷却装置により温度低下させることもできる。
【００２３】
本発明にて述べる自然冷媒ヒートポンプ式電気給湯機とは、ヒートポンプユニット内封入の冷媒の働きを利用し、大気熱を利用して温水をつくり、貯湯タンクに貯めて利用するシステムである。冷媒としては、二酸化炭素を用いることが好ましく、冷媒が漏れても発火の危険がなく、より高温の湯とすることができる。ヒートポンプサイクルは、深夜電力を利用して稼働させることで、より一層の料金節約ができる。
【００２４】
図３は、自然冷媒ヒートポンプ式電気給湯機を接続した際の機構概念図である。
ヒートポンプユニットは、図示を省略する圧縮機、蒸発器、凝縮器を用いて冷媒を気相変化させ、その際に発生する熱エネルギーを、熱交換して貯湯タンク内の水を加温する。
貯湯タンク内の温水は、シャワー、ミスト、風呂湯として使用するが、その他に、岩盤浴ユニットの熱源としても使用され、貯湯タンク内の温水と熱交換することで暖めた、石盤加温用の水を循環させる。
【００２５】
岩盤浴ユニット内に水栓（シャワーヘッド含む）を付加する場合は、ビタミンが放出される機能を有した水栓、トルマリン等の機能性を有した鉱石を内臓した塩素除去やマイナスイオンを放出する機能を有した水栓、軟水の吐出される水栓など、入浴後の毛穴の開いた肌への刺激を減らす機能を有したものが好ましい。ビタミンを放出したり、機能性を有した鉱石による塩素除去やマイナスイオンを放出する水栓の一例としては、水栓本体または、シャワーヘッドに、ビタミンカートリッジや鉱石等を格納する場所を設けたもので、格納場所を水が通過してシャワー等により放出されることで、放出された水は、前記機能を有するものとなる。
【００２６】
高位層の石盤の温度は、３５〜６０℃が好ましく、４０〜５０℃がより好ましい。３５℃より低温では、体温と同等以下の温度となる為、石盤に体温を奪われ、発汗が不十分で温浴効果が得られ難い。６０℃より大きい場合は、やけどが懸念される。また、低温やけどの防止および、汗の吸い取り、ベッド上の体の安定性を保つことなどから、石盤上へは必要に応じてタオル等を載置して入浴することが好ましく、タオル等を一枚〜複数枚載置することで、皮膚と石盤の接する温度を個人の皮膚の状態に合わせて下げ、低温やけどを防ぐ事が必要である。また、入浴時間をこまめに区切る、体勢をこまめに変えるなどし、個人の身体の状態に合わせて適宜入浴方法を調整することで低温やけどを防ぐ事も必要である。
低位層の石盤温度は０℃以上〜６０℃未満が好ましく、１５℃〜４０℃がより好ましい。０℃以下であると冷たすぎて歩行が困難である。６０℃以上であると、高位層同様岩盤浴入浴を行う際にやけどが懸念される。また、故意に０℃付近の温度とすることで、高位層で体を加温し、低位層でクールダウンする事も可能である。
高位層と低位層の温度差は特にこだわらず、高位層＞低位層であれば、温かい空気は上層部に溜まりやすいことから熱効率がよく好ましい。
【００２７】
本発明のユニット内気温を上昇させる方法は特に拘らなく、石盤の放熱を利用して加温する方法、輻射熱暖房機やそれに送風機をセットした暖房機等があるが、好ましくは温風発生型の暖房機器（浴室用換気乾燥暖房機等）を用いると、室内空気の場所によるムラが小さくなり、加温速度も速く好ましい。また、石盤の放熱等積極的に温風を対流させない加温方法の場合は、熱の自然対流のみに任せる事になる為、送風機との併用が好ましく、さらに、昇温に時間を要する為、発熱＜放熱とならないよう、ユニットの気密性を十分に確保する必要がある。
【００２８】
ユニット内の湿度付与の方法として、好ましくは、簡易的な手段である霧吹き、シャワー放水、加湿器の使用、石盤部への散水等が挙げられる。さらに、自然冷媒ヒートポンプ式電気給湯機へ接続して使用するミスト装置が、前記ヒートポンプユニットを深夜電力により稼働させることで料金節約ができ、より好ましい。故意に湿度を与えなくても良い。
【実施例】
【００２９】
以下、図面を用いて本発明の１実施例を説明する。
図４は、本発明の岩盤浴ユニットを示す概略斜視図である。防水パン１６の上には、高さを３００ｍｍ異ならせた高位層１及び低位層２が設けられ、各々に石盤３を設置している。
石盤３の裏面には、その全面に接する液状媒体４の層が設けられ、この液状媒体４の層中に温水を通す銅パイプ５が配置されている。液状媒体としては、保冷剤等に使用される水分を含ませゲル状とした高分子吸収体や、水や不凍液を封入した容器や袋状のものを熱交換器の間に敷き詰めて、若しくは直接散布して使用する。
【００３０】
銅パイプ５内を通す温水は、自然冷媒ヒートポンプ式電気給湯機（株式会社日立ハウステック製  ＨＨＰ−３７２ＷＡＴ）６より供給され、これと銅パイプ５とを、往き配管１７及び戻り配管９とにより接続し、循環水路を形成している。
【００３１】
往き配管１７は、その途中で分岐され（分岐点７）、一方は高位層１の石盤を暖めるのに使用され、他方は低位層２の石盤を暖めるのに使用される。分岐後に低位層２の石盤を暖める温水は、電磁弁８を介して銅パイプ５に流入させており、電磁弁８の開度を調整することで、高位層１の石盤を暖める温水の流量と異なる流量を通水させ、高位層１と低位層２との温度差を設けている。
尚、戻り配管９には、大気開放弁１０が設けられ、温水中の気泡を抜くようにしてある。
【００３２】
岩盤浴ユニット内の室温は、換気乾燥暖房機１１により４０〜４３℃に加温され、湿度は、ミスト（株式会社日立ハウステック製  ＨＭＳＴ−１２０）１２にて、１５分間隔で５分噴霧することで、相対湿度約４０〜６０％に保たれる。ミスト噴霧間隔は適宜決定すると良いが、湿度を３０％以上与えることで、発汗がより促進される。
【００３３】
ユニットにはシャワーヘッド１４が取り付けられ、必要に応じて、岩盤浴後シャワー入浴も可能である。シャワーホース長は、ユニットの隅々まで清掃が可能な様に充分の長さを有するものが好ましい。
【図面の簡単な説明】
【００３４】
【図１】岩盤浴ユニットの概念図を示す。
【図２】岩盤浴ユニットの別の概念図を示す。
【図３】自然冷媒ヒートポンプ式電気給湯機を接続した機構概念図を示す。
【図４】本発明の実施例を示す岩盤浴ユニットの概略斜視図である。
【符号の説明】
【００３５】
１…高位層、２…低位層、３…石盤、４…液状媒体、５…銅パイプ、６…自然冷媒ヒートポンプ式電気給湯機、７…分岐点、８…電磁弁、９…戻り配管、１０…大気開放弁、１１…換気乾燥暖房機、１２…ミスト、１３…軟水化水栓、１４…シャワーヘッド、１５…カウンター、１６…防水パン、１７…往き配管。
【図１】
2009011427.tif 000003
【図２】
2009011427.tif 000004
【図３】
2009011427.tif 000005
【図４】
2009011427.tif 000006